(57)【特許請求の範囲】
【請求項１】
２枚のヒンジ板の一方に結合用の挿入片を回動可能に軸支し、該挿入片を他方のヒンジ板に設けた挿入孔に差し込んで固定することによって、該２枚のヒンジ板を結合してなる、出入り口開口とドアとの間の隙間を調整可能とした蝶番において、
挿入片の片面又は両面に出没可能な係合用の凸片又は係合用凹部を設け、かつ、挿入孔の内面に前記挿入片の係合用の凸片又は凹部に対応する係合用の凹部又は出没可能な凸片を設け、該凸片と凹部とによって挿入片が挿入孔内に保持されるようにするとともに、
挿入孔に挿入された挿入片の厚さ方向の移動量の調整を行うために、挿入片を挟持するためのナット状のネジＡと該ネジＡに螺着するネジＢと、ネジＡ、Ｂに貫通してこれらのネジを保持し基端部が挿入孔部のヒンジ板に螺着する調整用ネジＣとからなる調整ネジを備えたことを特徴とする調整蝶番。
【請求項２】
２枚のヒンジ板の一方に結合用の挿入片を回動可能に軸支し、該挿入片を他方のヒンジ板に設けた挿入孔に差し込んで固定することによって、該２枚のヒンジ板を結合してなる、出入り口開口とドアとの間の隙間を調整可能とした蝶番において、挿入片に係合用の凹部又は貫通孔を設け、他方のヒンジ板の側面に挿入孔に達する嵌合孔を設け、該嵌合孔に挿入片の前記係合用の凹部又は貫通孔に係合する凸片を出没可能に備えた固定部材を着脱自在に装着したことを特徴とする調整蝶番。
【発明の詳細な説明】
【０００１】
【発明の属する技術分野】
本発明は、家屋や部屋等の出入り口等に設けられた開口にドアを取付けるのに用いられる蝶番（ヒンジ）であって、特にドアの取付けが容易でかつ取付位置の調整が可能な調整蝶番に関するものである。
【０００２】
【従来の技術】
通常の蝶番は、支持軸を中心にその軸に回動可能に軸支された２枚のヒンジ板からなり、一方のヒンジ板を出入り口等の開口の枠等（以下、開口枠体という）に取付け、他方のヒンジ板をドアに取付けて使用しているが、各ヒンジ板の取付け位置の多少のずれがドアの開閉に影響するため、ヒンジ板の取付けには熟練が要求されていた。また、取付け後にその他の事情によってドアの位置を微調整する必要が生じた場合、従来の蝶番ではネジ止めしていたヒンジ板をはずして付け直す必要があった。
これらの問題を解決するために、二つのヒンジ板を分離して一方の支持軸付きヒンジ板を開口枠体に取付け、他方のヒンジ板をドアに取付けておき、一方のヒンジ板とは別に支持軸に軸着させた結合用挿入片を他方のヒンジ板に設けた該挿入片受け用の挿入孔に挿入して両ヒンジ板を結合させて蝶番として作用させる調整蝶番が提案されている。
【０００３】
本発明者らが先に提案した調整蝶番の一例を図１４に示す（特願平１１−４０７９号）。図は分解斜視図で、この蝶番１は結合用の挿入片４と支持軸５を有する一方のヒンジ板２と、該挿入片４を受け入れるための挿入孔６を有する他方のヒンジ板３とから大略形成されている。図中、１０は挿入孔６の他方の開口に被せる蓋を示し、１１はヒンジ板をドア又は枠体に固定するためのネジ孔を示す。また、挿入片４の上下側端に設けた凹部１２は挿入孔６内に設けた突起と係合させるためのものである。
【０００４】
この蝶番の形成は、一方のヒンジ板２を開口枠体に取付け、他方のヒンジ板３をドアに取付けたのち、挿入片４を他方のヒンジ板３の挿入孔６に挿入し、ヒンジ板３に設けられたネジ孔９にネジ７を挿入し挿入片４を固定して両ヒンジ板２、３を結合する。この例の場合では、挿入片４の厚さ及び幅に対して挿入孔６は少し大きめに形成されていて、挿入孔６に挿入された挿入片４は、固定用ネジ７が挿入片４に設けた切欠き８を通って挿入孔６内に配置した図示しないナット等によって挿入孔６内に挟持される。挿入片４の挿入孔６内への挿入深さｂは切欠き８によって調整し、挿入片４の厚さ方向ｃの調整はネジ７によって調整する。そして、挿入片４の上下方向ａの移動は支持軸５によって行う。
挿入片４の厚さ方向ｃの位置を調整固定することによって、ドアを閉めた時のドアの左右方向の側端面と開口枠体の枠内側面との隙間を調整し、挿入片４の挿入深さ方向ｃを調整することによってドアの厚さ方向の位置を調整し、挿入片４を上下方向ａに移動させることによって、ドアの位置を上下できるようにしたものである。
【０００５】
【発明が解決しようとする課題】
上記のように調整蝶番では、あらかじめ両ヒンジ板を開口枠体とドアに固定しておき、その後挿入片を挿入して固定するものであるため、調整固定するまでドアを作業者が保持していなければならない。そのため、ドアを保持する人と調整固定する人の２人で作業するか、又はドア吊り込み装置などを使用する必要があった。
本発明者らは、先に挿入片を挿入孔内に挿入したとき、容易に仮固定される調整蝶番として図１４のものを提案した。その後さらに研究した結果、本発明を完成するに至った。したがって、本発明は容易にドアを仮固定できる蝶番を提供せんとするものである。
【０００６】
【課題を解決するための手段】
本発明の調整蝶番における第１の発明は、２枚のヒンジ板の一方に結合用の挿入片を回動可能に軸支し、該挿入片を他方のヒンジ板に設けた挿入孔に差し込んで固定することによって、該２枚のヒンジ板を結合してなる、出入り口開口とドアとの間の隙間を調整可能とした蝶番において、挿入片の片面又は両面に出没可能な係合用の凸片又は係合用凹部を設け、前記挿入片の係合用の凸片又は凹部に対応する挿入孔の内面に係合用の凹部又は出没可能な凸片を設け、該凸片と凹部で挿入片が挿入孔内に保持されるようにしたことを特徴とするものである。
【０００７】
本発明のもう一つの調整蝶番は、挿入片に貫通孔を設け、該挿入片の貫通孔に対応する挿入孔の内面に出没可能な係合用凸片を設け、該貫通孔と凸片とで挿入片が挿入孔内に保持されるようにしたことを特徴とするものである。
【０００８】
本発明は、上記において挿入片を差し込むための挿入孔は一方向にのみ開口を有する長方形の孔でもよいが、ドアの厚さ方向の両端に開口を有する貫通孔として、いずれの開口からも挿入片を挿入できるようにするとよい。
このように、ヒンジ板の幅方向の左右両側から挿入孔に挿入片を挿入できるようにした場合、挿入片に設ける係合用の凹部又は凸片の位置によって、挿入孔内に設ける凸片又は凹部は左からの挿入用と右からの挿入用と別々に設ける必要がある。係合用凸片は、挿入片の差し込み時に挿入片内又は挿入孔の内壁面内に没入し、対応する係合凹部内に突出するように構成する。
挿入片を挿入孔から引き出すときは、他方のヒンジ板の側面に設けた挿入孔に達するピン孔にピンを挿入して凸片を押し下げて凹部との係合を解除する。
【０００９】
更にもう一つの本発明は、２枚のヒンジ板の一方に結合用の挿入片を回動可能に軸支し、該挿入片を他方のヒンジ板に設けた挿入孔に差し込んで固定することによって、該２枚のヒンジ板を結合してなる、出入り口開口とドアとの間の隙間を調整可能とした蝶番において、挿入片に係合用の凹部又は貫通孔を設け、他方のヒンジ板の側面に挿入孔に達する嵌合孔を設け、該嵌合孔に挿入片の前記係合用の凹部又は貫通孔に係合する凸片を出没可能に備えた固定部材を着脱自在に装着したことを特徴とする調整蝶番である。
挿入孔が左右両方向から挿入片を差し込めるようにした場合には、上記嵌合孔を左用と右用の２箇所設け、使用しない側の嵌合孔も覆われるように固定部材を大きく構成してもよい。
この蝶番の場合、他方のヒンジ板から固定部材をはずすだけで挿入片の係合は解除できる。
【００１０】
【発明の実施の形態】
本発明において、挿入孔をドアの厚さ方向に貫通孔として左右に開口を有する形としたときは、必要ならば、他方の開口を適当な蓋で閉止するか又は挿入片の先端が他方の開口に達するようにしてもよく、また更にヒンジ板の側面に現れるネジ孔を覆うためのヒンジ板側面用の化粧カバー若しくは固定部材と共に開口用の蓋を一体的に形成してもよい。化粧カバーは、調整用ネジ部が容易に現れるように着脱可能なカバーとする。
【００１１】
挿入片を挿入孔内に保持するための凸片と凹部は、通常、挿入片に係合用凹部を設け、挿入孔に凸片（ロックピン）を設けるが、この逆としてもよい、凸片はバネ等で付勢されて突出しており、挿入片の圧入時に隠退し凹部と一致したとき凹部内に突出して挿入片を抜け落ちないように保持する。凸片は、通常、一旦凹部に嵌入したのちは外れないようにするが、他方のヒンジ板の側面に設けたピン孔からピン等を差し込むことによって凸片を凹部から抜き出せるようにしてもよい。
【００１２】
【実施例】
以下本発明の実施例を図面にしたがって説明するが、本発明はこれらの例に限定されるものでない。
【００１３】
図１は、本発明の一実施例を示す斜視図で、係合用凸片として半円筒状体２０を設けた例である。本例では他方のヒンジ板３の挿入孔６に相当する部分３ａの片側を他の部分より厚くし、凸片の係合する凹部の形成を容易にしたものの例である。図２（Ａ）は、図１に示した凸片２０を挿入片４の両面に設け、挿入孔６の内壁面６ａに係合用凹部30ａ、30ｂを設けた例である。挿入片４を図面の左側から挿入したとき凸片２０は凹部30ａと係合し、右側より挿入したとき凹部30ｂと係合するようになっている。図２（Ｂ）は挿入片４を挿入した状態の断面模式図で、図２（Ａ）とは逆に挿入孔６内に凸片２０を設け、挿入片４に係合凹部３０を設けた例を示す。
【００１４】
図３は凸片として半球体２１を設けた例で、この半球状の係合凸片２１はバネ４０で挿入片４の表面又は挿入孔の内壁面６ａに突出するように設けられる。凸片と係合用凹部は図２の場合と同様に用いられる。
図４は挿入片４に係合用凸片として板バネ状の凸片２２を設けた例である。この板バネ状の凸片２２は一端がネジ１４で挿入片４に止められ、他端は自由な状態となっていて、図４（Ａ）に示すようにヒンジ板３の側面に設けられたピン孔１５からピン１６を挿入して加圧すると板バネ状体２２は平板状となり、挿入孔６内壁に設けた係合用凹部３２からはずれるように構成されている。
図４（Ｂ）はピン１６で板バネ状凸片２２を押したとき、その先端が挿入片４に設けた孔４ａに落ち込み容易に変形するようにした例である。
【００１５】
図５は挿入片４に係合用凸片２３が入る挿通孔４ａを設けた例である。係合用凸片２３が挿通孔４ａにより充分に入るため挿入片が外れることがなく、強固な結合が得られる。
図６ないし図８は係合用凸片の各例を示す。図６は、ヒンジ板３の側面に挿入孔６に達する孔１７を設け、この孔１７に金属片を折り曲げて作製した係合用凸片２４を装着した例である。孔１７の近くに設けた窪み１８によって凸片２４を引き上げると挿入片との係合が解除される。
図７は係合用凸片２５をバネ４０で付勢して挿入孔内壁面に出没可能とした例である。
図８はヒンジ板３の挿入孔内壁又は挿入片の一部を隆起させて係合凸片２６とした例である。
【００１６】
図９は、図５に示すように係合用凸片２３が挿入片４に設けた挿通孔４ａ内に嵌挿されている場合に係合状態を解除する方法の一例を示す模式図である。ヒンジ板３の側面に開けられたピン孔１５からピン１６を挿入して凸片２３を挿入孔の内壁内に押し込み、このような状態で挿入片４を抜くと図９（Ｂ）に示すように凸片２３の先端が挿入片４の面に当たり外れるようになる。この場合、ピン孔１５は挿入片４を引き抜く方向にやや長孔としておくか、又は挿入片４の孔４ａよりも大きくしておくことが必要である。
【００１７】
図１０は、他方のヒンジ板３内に挿入された挿入片４の先端部をヒンジ板３の厚さ方向に移動させて固定することによって、挿入片４側のヒンジ板２に取り付けられたドアの位置を調整するための調整ネジを示す。図１０は調整ネジであるネジＡ、Ｂ、Ｃの関係を示す分解斜視図で、ナット状の締付けネジＡとネジＡ内に螺着されるネジ軸部Ｂ1 を有するネジＢと、ネジＡ、Ｂ内を貫通して両ネジを保持する保持部Ｃ1 とヒンジ板７に螺着するネジ部Ｃ2 とからなる調整用ネジＣとからなる。調整用ネジＣの先端部Ｃ1 はカシメるなどしてネジＡ、Ｂが抜け出ないようにするとよく、またこの先端部Ｃ1 にはドライバー又はレンチ用の嵌合溝を設ける。
図１１は、挿入片４の固定位置を調整する手段を説明するための断面図である。図に示すようにヒンジ板３に設けられた挿入孔６に挿入された挿入片４は、挟持用ネジＡ、Ｂによって挟持され、調整用ネジＣによってその位置が調整される。
【００１８】
図１１は、挿入片４を固定した状態を示す断面図で、まずネジＡとＢの間に挿入した挿入片４をネジＡを廻してネジＢとで挟む。ネジＡは、ネジＡの頭部に設けたレンチ嵌合部Ａ1 にレンチａを挿入して回転させる。このとき、ネジＢは空回りしないように保持部Ｃ1 とネジ部Ｃ2 との間の段部でネジＣと係合するようにするか又は挿入片等と係合して空回りしないようにするとよい。ネジＡ、Ｂで挿入片４を挟持したのち、ネジＡの頭部からネジＣ用のドライバー又はレンチｃを挿入してネジＣを回転させて挿入片４の位置を調整固定する。
本発明の場合、ドアの端面と開口枠体との隙間の調整は、図１１に示すように、ヒンジ板３の挿入孔６の入口に沿って設けた突条３ａを支点として調整ネジの進退と逆方向に挿入片４の支持軸側を移動させることによって行うこともできる。支点を設けずに単に調整ネジのみで行うこともできる。
【００１９】
図１２及び図１３は、ヒンジ板３に固定部材５０を装着して挿入片４を固定する例である。図１２に示すように基板５１に係合用凸片５３を出没可能に備えた嵌合筒５２と嵌合突起５４を設けたものを固定部材５０とし、この固定部材５０を図１３に示すようにヒンジ板３に設けられた挿入孔６に達する嵌合孔に嵌合筒５２と嵌合突起５４を嵌め込んで装着する。これによって、嵌合筒５２の係合用凸片５３が挿入孔６内に突出した状態となり、挿入孔６内に挿入片４が押し込まれたとき、嵌合筒５２内に係合用凸片５３は押し込まれるが挿入片４の挿通孔４ａの位置で孔４ａ内に突出して、挿入片４をヒンジ板３に係合する。
挿入片の係合を解除するときは、固定部材５０をヒンジ板３から取り外すだけでよい。挿入片を逆の方向から挿入するときは、固定部材の嵌合筒５２を挿入片の挿入方向にあわせてヒンジ板３に装着すればよい。
なお、この固定部材の嵌合筒に設ける凸片は、上記各図で示したものであってもよく、また、挿入片４には孔４ａの代わりに係合用凹部としても良い。
【００２０】
【発明の効果】
本発明は、結合用の挿入片を挿入孔に差し込んだとき、挿入片は凸片と係合用凹部又は孔とによってワンタッチで結合されるため、開口枠体へのドアの仮り装着が容易にできる。挿入片と挿入孔との係合も容易に解除できるため、作業も容易で、ドアの取り付け位置を左開き、右開きのいずれにも容易に変更できる。本発明の調整蝶番は、上記の構成とすることによって、左開き用、右開き用と蝶番を区別して製造する必要がないため、製造工程が簡略化できると共に、製品管理、販売管理の面でも多くの作業を省略できるなど種々の利点を有する。
【図面の簡単な説明】
【図１】本発明の一実施例を示す斜視図である。
【図２】挿入片と他方のヒンジ板の挿入孔との係合方法の一例を示す模式図である。
【図３】挿入片と挿入孔との係合方法の他の例を示す模式図である。
【図４】挿入片と挿入孔との係合方法の別の例を示す模式図である。
【図５】係合用の挿通孔を設けた挿入片の係合方法を示す模式図である。
【図６】係合用凸片の一例を示す断面図である。
【図７】係合用凸片の他の例を示す断面図である。
【図８】係合用凸片の別の例を示す断面図である。
【図９】挿入片の係合を解除する方法を示す説明図である。
【図１０】調整ネジの分解斜視図である。
【図１１】調整ネジによる固定方法を示す断面図である。
【図１２】固定装置の一例を示す斜視図である。
【図１３】固定装置の使用状態を示す断面図である。
【図１４】調整蝶番の一例を示す分解斜視図である。
【符号の説明】
１  蝶番
２  ヒンジ板
３  ヒンジ板
４  挿入片
５  支持軸
６  挿入孔
７  調整ネジ
Ａ  挟持用ネジ
Ｂ  挟持用ネジ
Ｃ  調整用ネジ
【図１】
0004224750.tif 000002
【図２】
0004224750.tif 000003
【図３】
0004224750.tif 000004
【図４】
0004224750.tif 000005
【図５】
0004224750.tif 000006
【図６】
0004224750.tif 000007
【図７】
0004224750.tif 000008
【図８】
0004224750.tif 000009
【図９】
0004224750.tif 000010
【図１０】
0004224750.tif 000011
【図１１】
0004224750.tif 000012
【図１２】
0004224750.tif 000013
【図１３】
0004224750.tif 000014
【図１４】
0004224750.tif 000015